(57)【要約】【課題】二つの容器本体を上下に重ねるときに、上側の容器本体を下側の容器本体に深く挿入することができる足踏み開閉式容器を提供する。【解決手段】上端に開口部を有する容器本体１と、この容器本体１に回転可能に連結され、前記開口部を開閉する蓋部２と、この蓋部２を回転させるペダル３と、このペダル３と前記蓋部２とを連結し、断面が凹状に形成されたリンク４とを備え、前記容器本体１の外周面に、前記容器本体１の高さ方向に延ばされ、前記リンク４が配置される外周凹部１ｅが形成されるとともに、前記容器本体１の内周面に、前記容器本体１の高さ方向に延ばされ、前記外周凹部１ｅに対応する内周凸部が形成されており、前記リンク４の幅が、その幅方向の内側から外側に向かって広げられており、前記リンク４の外面が、前記外周凹部１ｅの内面側に向けられていることを特徴とする。【選択図】図２
2007314212.tif 000002
【特許請求の範囲】
【請求項１】
上端に開口部を有する容器本体と、
この容器本体に回転可能に連結され、前記開口部を開閉する蓋部と、
この蓋部を回転させるペダルと、
このペダルと前記蓋部とを連結し、断面が凹状に形成されたリンクとを備え、
前記容器本体の外周面に、前記容器本体の高さ方向に延ばされ、前記リンクが配置される外周凹部が形成されるとともに、
前記容器本体の内周面に、前記容器本体の高さ方向に延ばされ、前記外周凹部に対応する内周凸部が形成されており、
前記リンクの幅が、その幅方向の内側から外側に向かって広げられており、
前記リンクの外面が、前記外周凹部の内面側に向けられていることを特徴とする足踏み開閉式容器。
【請求項２】
上端に開口部を有する容器本体と、
この容器本体に回転可能に連結され、前記開口部を開閉する蓋部と、
この蓋部を回転させるペダルと、
このペダルと前記蓋部とを連結し、断面が凹状に形成されたリンクとを備え、
前記容器本体の外周面に、前記容器本体の高さ方向に延ばされ、前記リンクが配置される外周凸部が形成されるとともに、
前記容器本体の内周面に、前記容器本体の高さ方向に延ばされ、前記外周凸部に対応する内周凹部が形成されており、
前記リンクの幅が、その幅方向の内側から外側に向かって広げられており、
前記リンクの内面が、前記外周凸部の外面側に向けられていることを特徴とする足踏み開閉式容器。
【請求項３】
前記外周凹部又は前記外周凸部の断面形状が、前記リンクの断面形状に一致していることを特徴とする請求項１又は請求項２に記載の足踏み開閉式容器。
【発明の詳細な説明】
【技術分野】
【０００１】
この発明は、蓋体を足で開閉することができる足踏み開閉式容器に関する。
【背景技術】
【０００２】
一般に、この種の容器は、下記特許文献１に記載されているように、上端が開口した容器本体と、この容器本体の開口部を開閉する蓋体と、容器本体の下端部に設けられたペダルと、このペダルの足踏み操作に連動して蓋を開回転させるリンクとを備えている。容器本体の外周面には、容器本体の周壁部を外側から内側へ向かって凹ませることにより、容器本体の下端から上方へ向かって延びる外周凹部が形成されている。外周凹部には、リンクが配置されている。さらに、容器本体の内周面には、外周凹部に対応する内周凸部が形成されている。
そして、ある容器本体の外周凹部を、他の容器本体の上から他の容器本体の内周凸部内に配することにより、複数の容器本体を上下に重ねることができるようになっている。
上記リンクとしては、板状に形成されたものが知られている。
【特許文献１】特開平６−２１９５０４号公報
【発明の開示】
【発明が解決しようとする課題】
【０００３】
しかしながら、リンクを板状に形成すると、複数の容器本体を重ねる場合、リンクに所定の板厚があることから、下側の容器本体の内周凸部が上側の容器本体のリンクに当接してしまい、その内周凸部を上側の容器本体の外周凹部に深く挿入することができない。そのため、全体の高さを低くしつつ複数の容器本体を重ねることができないという問題がある。
また、リンクの板厚を薄くすることにより、下側の容器本体の内周凸部を上側の容器本体の外周凹部により深く挿入することができるようになるが、リンクの板厚を薄くすると、リンクの座屈強度が低下してしまい、蓋部の回転動作を適正に行うことができなくなってしまう。
なお、上記問題は、容器本体の内周凸部及び外周凹部を逆にして、容器本体の外周に外周凸部を設け、内周に内周凹部を設けた場合でも同様に生じるものである。
【０００４】
本発明は、上記従来の事情に鑑みて案出されたものであり、蓋部の開閉をスムーズに行うことができ、運搬・保管などの際にスペースの利用効率を向上させることができる足踏み開閉式容器を提供することを目的とする。
【課題を解決するための手段】
【０００５】
上記課題を解決するために、本発明は以下の手段を提供する。
本発明に係る足踏み開閉式容器は、上端に開口部を有する容器本体と、この容器本体に回転可能に連結され、前記開口部を開閉する蓋部と、この蓋部を回転させるペダルと、このペダルと前記蓋部とを連結し、断面が凹状に形成されたリンクとを備え、前記容器本体の外周面に、前記容器本体の高さ方向に延ばされ、前記リンクが配置される外周凹部が形成されるとともに、前記容器本体の内周面に、前記容器本体の高さ方向に延ばされ、前記外周凹部に対応する内周凸部が形成されており、前記リンクの幅が、その幅方向の内側から外側に向かって広げられており、前記リンクの外面が、前記外周凹部の内面側に向けられていることを特徴とする。
【０００６】
また、本発明に係る足踏み開閉式容器は、上端に開口部を有する容器本体と、この容器本体に回転可能に連結され、前記開口部を開閉する蓋部と、この蓋部を回転させるペダルと、このペダルと前記蓋部とを連結し、断面が凹状に形成されたリンクとを備え、前記容器本体の外周面に、前記容器本体の高さ方向に延ばされ、前記リンクが配置される外周凸部が形成されるとともに、前記容器本体の内周面に、前記容器本体の高さ方向に延ばされ、前記外周凸部に対応する内周凹部が形成されており、前記リンクの幅が、その幅方向の内側から外側に向かって広げられており、前記リンクの内面が、前記外周凸部の外面側に向けられていることを特徴とする。
【０００７】
また、本発明に係る足踏み開閉式容器は、前記外周凹部又は前記外周凸部の断面形状が、前記リンクの断面形状に一致していることを特徴とする。
【発明の効果】
【０００８】
上記特徴構成を有するこの発明によれば、リンクの幅が、その幅方向の内側から外側に向かって広げられていることから、複数の容器本体を重ね合わせるとき、下側の足踏み開閉式容器の内周凸部を、上側の足踏み開閉式容器のリンクの凹状の内部に配することができ、又は、下側の足踏み開閉式容器の内周凹部に、上側の足踏み開閉式容器のリンクの外面を配することができる。そのため、リンクの座屈強度を増大させることができるだけでなく、上側の容器本体を下側の容器本体内により深く挿入することができる。したがって、リンクを介して蓋部の開閉をスムーズに行うことができ、さらに運搬・保管などの際にスペースの利用効率を向上させることができる。
【発明を実施するための最良の形態】
【０００９】
以下、この発明を実施するための最良の形態を、図面を参照して説明する。
図１から図３は、この発明の一実施の形態を示す。この実施の形態の足踏み開閉式容器Ａは、種々の物品やゴミなどを収容するものである。
この足踏み開閉式容器Ａは、容器本体１、蓋体（蓋部）２、ペダル３及びリンク４を備えている。
【００１０】
容器本体１は、平面視形状が前後方向に長い長方形状をなしており、前後左右の側壁（周壁部）１ａ〜１ｄを有している。各側壁１ａ〜１ｄは、下方へ向かうにしたがって互いに接近するように鉛直線に対していずれも傾斜している。これにより、容器本体１の大きさが下方へ向かうにしたがって漸次小さくなっている。
【００１１】
後側壁１ｂの中央部は、容器本体１の内側に向かって凹まされている。これにより、図４に示すように、後側壁１ｂの外面（容器本体１の外周面）に外周凹部１ｅが形成され、後側壁１ｂの内面（容器本体１の内周面）に内周凸部１ｆが形成されている。外周凹部１ｅ及び内周凸部１ｆは、互いに一致した位置に形成されており、容器本体１の下端から上端近傍まで、容器本体１の高さ方向に延ばされている。しかも、後側壁１ｂに沿って延びている。したがって、外周凹部１ｅの深さ及び内周凸部１ｆの高さは、いずれも下端から上端まで一定である。しかも、両者は、同一寸法になっており、互いに同一の断面形状を有している。
なお、外周凹部１ｅ及び内周凸部１ｆの寸法や断面形状は、まったく同一であってもよいし、容器本体１の肉厚分だけ差異を設けてもよい。さらに、外周凹部１ｅ及び内周凸部１ｆの肉厚は、すべて均一でなくてもよい。
【００１２】
外周凹部１ｅの横断面は、円弧状に形成されている。すなわち、外周凹部１ｅの幅は、その幅方向の内側から外側に向かって漸次広げられている。換言すると、外周凹部１ｅを区画する壁面は、その中央を除いて、外周凹部１ｅの中央側から両側端へ向かうにしたがって外周凹部１ｅの深さが浅くなるように傾斜している。具体的には、外周凹部１ｅを区画する壁面は、外周凹部１ｅの幅方向の中央に中心線を位置させた円弧面によって形成されている。
同様にして、内周凸部１ｆを区画する壁面は、外周凹部１ｅと同様の円弧面によって円弧状に形成れている。内周凸部１ｆを形成する円弧面は、中心線が外周凹部１ｅを形成する円弧面の中心線と同一である円弧面であってもよく、または、中心線が外周凹部１ｅを形成する円弧面の中心線より後側壁１ｂの厚さの分だけ容器本体１に接近した円弧面であってもよい。前者の場合、内周凸部１ｆを形成する円弧面の曲率半径は、外周凹部１ｅを形成する円弧面の曲率半径より後側壁１ｂの厚さの分だけ大きくなる。後者の場合、内周凸部１ｆを形成する円弧面の曲率半径は、外周凹部１ｅを形成する円弧面の曲率半径と同一になる。
【００１３】
容器本体１の上端部には、図５及び図６に示すように、全体にわたって開口部１ｇが形成されている。一方、容器本体１の下端部は、底部１ｈによって閉じられている。底部１ｈの左右方向の中央部には、前端から後端まで延びる収容凹部１ｉが形成されている。この収容凹部１ｉの後端部は、外周凹部１ｅの下端部と交差している。
【００１４】
蓋体２は、その後端部、より詳細には容器本体１の周方向において外周凹部１ｅと同一位置に位置する後端部が容器本体１の後端側の上部に左右方向に延びる水平な軸５を介して回転可能に、しかも着脱可能に取り付けられている。蓋体２は、容器本体１の開口部１ｇを閉じた閉位置（特に図５参照）と、開口部１ｇを開いた開位置（図６参照）との間を回転可能である。
【００１５】
収容凹部１ｉには、前後方向に延びるレバー６が挿入されている。レバー６は、その長手方向（前後方向）の中央部が左右方向に延びる水平な軸（図示せず）を介して容器本体１の下端部に揺動可能に支持されている。レバー６の前端部には、ペダル３が着脱可能に設けられている。ペダル３は、レバー６と一体に設けてもよい。ペダル３は、前側壁１ａから前方に突出している。したがって、ペダル３を足で踏むことができる。
【００１６】
外周凹部１ｅには、リンク４が挿入されている。リンク４は、外周凹部１ｅの長さ方向に沿って延びており、その下端部は、左右方向に延びる水平な軸７を介して回転可能に、かつ前後方向へ所定範囲移動可能な状態で、レバー６の後端部に連結されている。したがって、リンク４は、レバー６が揺動すると、前後方向へ移動することなく外周凹部１ｅに沿って上下方向へ移動する。特に、この実施の形態では、前端部が下方へ移動するようにレバー６が揺動すると、リンク４が上方へ移動し、一方、前端部が上方へ移動するようにレバー６が揺動すると、リンク４が下方へ移動する。リンク４の上端部は、容器本体２の上端部に外周凹部１ｅの長手方向に沿って摺動可能に連結されており、リンク４の上端面は蓋体２の下面に軸５より前側において突き当たっている。したがって、リンク４が上方へ移動すると、蓋体２が開回転し、リンク４が下方へ移動すると、蓋体２がその自重によって閉回転する。換言すれば、蓋体２が自重によって閉回転すると、リンク４が下方へ移動させられ、それに伴ってペダル３が上方へ移動させられる。したがって、蓋体２が閉位置に位置しているときに、ペダル３を足で踏んで下方へ移動させると、蓋体２が閉位置から開位置まで開回転させられる。その状態でペダル３から足を離すと、蓋体２が自重によって開位置から閉位置まで閉回転する。それによって、ペダル３が元の位置まで上方へ移動させられる。
【００１７】
図４に示すように、リンク４の横断面形状は、凹状に形成されており、さらに外周凹部１ｅの断面形状に一致している。すなわち、リンク４は、前後の両側面４ａ，４ｂが外周凹部１ｅを形成する円弧面とほぼ同一の円弧面によって形成されている。したがって、リンク４は円弧状に湾曲している。これにより、リンク４の見かけの厚さ（リンク４が外周凹部１ｅ内に配された状態での容器本体１の奥行方向の厚さ）が実際の板厚より厚くなり、座屈強度が高くなっている。このリンク４の凹状の外側の円弧面は、外周凹部１ｅの内面側に向けられている。さらに、リンク４の凹状の外側の円弧面は、外周凹部１ｅの円弧面に対応するように、外周凹部１ｅにならうようにして配されている。
なお、「凹状」とは、内面側が凹とされ、この凹に合わせて外面側が凸とされる形状をいう。
なお、外周凹部１ｅ及びリンク４の寸法や断面形状は、まったく同一であってもよいし、リンク４の肉厚分だけ差異を設けてもよい。さらに、外周凹部１ｅ及びリンク４の肉厚は、すべて均一でなくてもよい。
【００１８】
また、リンク４の前側面４ａには、リンク４の長手方向に沿って延びる突条４ｃが形成されており、それによってリンク４の座屈強度がより一層高められている。しかも、突条４ｃが外周凹部１ｅを区画する壁面に接触することにより、リンク４と壁面との間の摩擦抵抗の減少が図られている。
なお、リンク４の上端には、図２に示すように、円弧状の蓋板４ｄが形成されている。また、リンク４の下端には、蓋板４ｄに相当する部材は設けられておらずフリーとなっている。そして、リンク４の下端において、その幅方向の二隅はＲ状に面取りされている。
【００１９】
上記構成の足踏み開閉式容器Ａにおいては、図４に示すように、２点鎖線で示す上側の容器（一の容器）Ａの下端部を、実線で示す下側の容器（他の容器）Ａに挿入したとき、下側の容器Ａの内周凸部１ｆが、上側の容器Ａの外周凹部１ｅ内に入り込む。
このとき、リンク４がその幅方向の内側から外側に向かって広げられていることから、下側の容器Ａの内周凸部１ｆは、上側の容器Ａのリンク４の凹状の内部に入り込む。そのため、下側の容器Ａの内周凸部１ｆが、上側の容器Ａのリンク４に接触する所定深さまで、上側の容器Ａが下側の容器Ａに挿入される。
すなわち、外周凹部１ｅにリンク４が挿入されている関係上、下側の容器Ａの内周凸部１ｆは、上側の容器Ａのリンク４に突き当たるが、リンク４が外周凹部１ｅ及び内周凸部１ｆと同様に湾曲しているので、リンク４の板厚を見かけの厚さと同一にした場合（板状にした場合）に比して、内周凸部１ｆを外周凹部１ｅ内に深く入り込ませることができる。したがって、上側の容器Ａを下側の容器Ａに深く挿入することができる。
【００２０】
また、内周凸部１ｆを形成する円弧面と後側壁１ｂの内面との交差角度が鈍角になっているので、凸部を形成する壁面と後側壁の内面とが直角に交差する従来の容器に比して、内周凸部１ｆを区画する円弧面と後側壁１ｂの内面との交差部を容易に清掃することができる。さらに、蓋体２が容器本体１に着脱可能に取り付けられているので、複数の容器本体１を上下に重ねるときに蓋体２が邪魔になることがない。なお、開位置に位置している蓋体２が、容器本体２を上下に重ねるときに邪魔にならないのであれば、蓋体２は必ずしも容器本体１に対して着脱可能にする必要はない。
【００２１】
図７は、この発明の他の実施の形態を示す。この実施の形態においては、リンク４の横断面形状が台形状にして形成されている。すなわち、外周凹部１ｅを区画する壁面の中央部が後側壁１ｂと平行な平面とされている。外周凹部１ｅの幅方向の両側部は、中央側から両側端に向かって広げられた傾斜面とされている。すなわち、外周凹部１ｅの両側部は、中央側から両側端に向かうにしたがって外周凹部１ｅの深さが浅くなるような傾斜面とされている。この結果、外周凹部１ｅを形成する壁面全体では、舟底状に形成されている。勿論、内周凸部１ｆを区画する壁面及びリンク４の前後の側面４ａ，４ｂも同様な形状に形成されている。この場合、内面の交わる各部分をＲ状に滑らかにすることが好ましい。これにより、リンク４の掃除を容易にすることができる。
【００２２】
なお、容器本体１の裏面にスタックリブを設けてもよい。これにより、上側の容器本体１の裏面と下側の容器本体１内の底面との間にクリアランスを設けることができ、上側の容器本体１のリンクと、下側の容器本体１の凸部との間にもクリアランスを設けることができる。そのため、上側の容器本体１と下側の容器本体１とが密着することを防止することができ、クリアランスを介して空気を流通させることにより、複数の容器本体１の重ね合わせや取り外しなどをスムーズに行うことができる。
【００２３】
また、リンク４を円弧状や台形状としたが、これに限ることはなく、その形状は適宜変更可能である。例えば、横断面が三角形状（への字状）などであってもよい。この場合、内面の交わる各部分をＲ状に滑らかにすることが好ましい。これにより、リンク４の掃除を容易にすることができる。
【００２４】
また、容器本体１に外周凹部１ｅ及び内周凸部１ｆを設けるとしたが、これに代えて、図８に示すように、容器本体１の外周面に円弧状の外周凸部１１を設け、内周面に円弧状の内周凹部１２を設けるようにしてもよい。これら外周凸部１１及び内周凹部１２の寸法や断面形状は、まったく同一であってもよいし、容器本体１の肉厚分だけ差異を設けてもよい。さらに、外周凸部１１及び内周凹部１２の肉厚は、すべて均一でなくてもよい。
この場合、リンク４´の横断面形状は、外周凸部１１の断面形状に一致させるようにする。そして、リンク４´の凹状の内側の円弧面が、外周凸部１１の円弧面に対応するように、外周凸部１１にならうようにしてリンク４´を配する。このような構成のもと、容器本体１を複数重ねると、上側の容器本体１のリンク４´が、下側の容器本体１の内周凹部１２に配される。そのため、図１から図７に記載の脚踏み開閉式容器と同様の効果を奏することができる。
なお、この発明は、上記の実施の形態に限定されるものでなく、その要旨を逸脱しない範囲において適宜変更可能である。
例えば、上記の実施の形態においては、容器本体１を平面視長方形状に形成しているが、平面視正方形状、あるいは円形状に形成してもよい。
【図面の簡単な説明】
【００２５】
【図１】この発明の一実施の形態を示す斜視図である。
【図２】同実施の形態の図１と異なる方向から見た斜視図である。
【図３】同実施の形態の背面図である。
【図４】図５のＹ−Ｙ線に沿う断面のうち、要部を示す断面図である。
【図５】図３のＸ−Ｘ線に沿う断面図である。
【図６】図５の蓋体を開位置に回転させた状態を示す断面図である。
【図７】この発明の他の実施の形態を示す図４と同様の断面図である。
【図８】この発明のさらに他の実施の形態を示す図４と同様の断面図である。
【符号の説明】
【００２６】
Ａ  足踏み開閉式容器
１  容器本体
１ｅ  外周凹部
１ｆ  内周凸部
１ｇ  開口部
２  蓋体（蓋部）
３  ペダル
４  リンク
１１  外周凸部
１２  内周凹部
【図１】
2007314212.tif 000003
【図２】
2007314212.tif 000004
【図３】
2007314212.tif 000005
【図４】
2007314212.tif 000006
【図５】
2007314212.tif 000007
【図６】
2007314212.tif 000008
【図７】
2007314212.tif 000009
【図８】
2007314212.tif 000010